(57)【要約】      （修正有）【課題】上板および下板との組合せを強化できる円柱形の支脚を採用することによって、構造強度を高め、かつ支脚の脱落を防止できるパレットを提供する。【解決手段】矩形上板１０と、下板２０と、両側部および中間部に間隔をあけて設けられ、上板１０および下板２０にそれぞれ粘着されて上板１０と下板２０との間に設置される円柱形の支脚３０と、が組合わされて構成される。複数の支脚３０は、それぞれ、中空の円筒形で、内部空間および上下端を連通した開口を有する脚枠３１と、板紙を巻いて構成され、脚枠３１の内部空間の中間位置に粘着固定される直立式の円柱状の脚柱と、脚枠３１の内部空間上端の開口内に粘着固定され、上下表面が上板１０底面および脚柱上端にそれぞれ粘着固定される上板材と、脚枠３１の内部空間下端の開口内に粘着固定され、上下表面が脚柱底端および下板２０上面にそれぞれ粘着固定される下板材と、を備える。【選択図】図１
0003144582.tif 000002
【実用新案登録請求の範囲】
【請求項１】
矩形上板と、下板と、両側部および中間部に間隔をあけて設けられ、前記上板および前記下板にそれぞれ粘着されて前記上板と前記下板との間に設置される支脚と、を備え、
前記複数の支脚は、それぞれ、中空の円筒形で、内部空間および前記内部空間の上下端を連通した開口を有する脚枠と、板紙を巻いて構成され、前記脚枠の内部空間の中段位置に粘着固定される直立式の円柱状の脚柱と、前記脚枠の内部空間上端の開口内に粘着固定され、上下表面が前記上板底面および脚柱上端にそれぞれ粘着固定される上板材と、前記脚枠の内部空間下端の開口内に粘着固定され、上下表面が前記脚柱底端および前記下板上面にそれぞれ粘着固定される下板材と、を備えることを特徴とするパレットの組合せ構造。
【請求項２】
前記脚枠は、中実管を備える紙管であることを特徴とする請求項１記載のパレットの組合せ構造。
【請求項３】
前記脚柱の板紙は、ダンボール板であることを特徴とする請求項２記載のパレットの組合せ構造。
【請求項４】
前記上下板材は、それぞれ板紙であることを特徴とする請求項２記載のパレットの組合せ構造。
【請求項５】
前記上下板材は、複数の中実板紙を積層して粘着したものであることを特徴とする請求項４記載のパレットの組合せ構造。
【請求項６】
前記上板および下板には、複数の支脚方向にねじが螺入され、前記脚柱と前記上下板材が螺接されることを特徴とする請求項２記載のパレットの組合せ構造。
【考案の詳細な説明】
【技術分野】
【０００１】
本考案はパレットの組合せ構造に関し、特に、紙製またはプラスチック製のパレットの上板、下板および支脚の組合せを強化したパレットの構造に関する。
【背景技術】
【０００２】
ダンボールパレットは軽い、コストが安い、回収可能である、などの多くの長所があるので、すでに従来の木製または金属製のパレットに代わって広く使用されている。
【０００３】
一般のダンボールパレットは上板およびその下方に設けられる複数の桁を備え、上板は複数層のダンボール板または厚紙を積層したものを採用することができ、それによってパレット全体の強度を高めている。
【０００４】
しかし、上述のパレットは両側部および中間部の桁間に縦方向のみに開口が形成されているので、フォークリフトは縦方向からのみパレットにフォークを挿入でき、横方向からの挿入はできない。横方向および縦方向への開口を設けたパレット場合、各桁を複数の支脚を間隔を空けて設置した構造にする必要があるが、この構造の場合、支脚の強度が不足し、支脚が容易に脱落するので改善が必要であった。
【特許文献１】特開２００６−３４７６１７号公報
【考案の開示】
【考案が解決しようとする課題】
【０００５】
本考案の目的は、上板および下板との組合せを強化できる円柱形の支脚を採用することによって、上板および下板を確実に接合し、構造強度を大幅に高めて耐久性を高め、支脚が脱落するのを防止できるパレットの組合せ構造を提供することにある。
【課題を解決するための手段】
【０００６】
上述の課題を解決するために、本考案のパレットは、矩形上板と、下板と、両側部および中間部に間隔をあけて設けられ、上板および下板にそれぞれ粘着されて上板と下板との間に設置される支脚と、を備える。複数の支脚は、それぞれ、中空の円筒形で、内部空間および内部空間の上下端を連通した開口を有する脚枠と、板紙を巻いて構成され、脚枠の内部空間の中段位置に粘着固定される直立式の円柱状の脚柱と、脚枠の内部空間上端の開口内に粘着固定され、上下表面が上板底面および脚柱上端にそれぞれ粘着固定される上板材と、脚枠の内部空間下端の開口内に粘着固定され、上下表面が脚柱底端および下板上面にそれぞれ粘着固定される下板材と、を備える。
【０００７】
好適な実施例において、脚枠は、中実管を備える紙管である。
【０００８】
上述の脚柱の板紙は、ダンボール板である。
【０００９】
上述の支脚の上下板材は、それぞれ板紙であり、複数の中実板紙を積層して粘着したものを採用することができる。
【００１０】
上述の上板および下板には、複数の支脚方向にねじが螺入され、脚柱と上下板材が螺接される。
【考案の効果】
【００１１】
本実施例の円柱形の支脚は脚枠の内部空間内で脚柱および上下板材と緊密に粘接されるので、構造強度を高めて耐久性を高めることができる。上下板材はその平坦な表面が上板および下板の対応面と緊密に粘接され、脱落するのを防止する。また、上板および下板には複数の支脚方向にワッシャが設けられたねじを螺入することができ、脚柱および上下板材を螺接して構造強度を大幅に高めることができる。
円柱形の支脚の円柱形の脚枠は中実管を備える紙管が採用され、それによって加工および組立時間を節約でき、構造強度を高めることができる。脚柱は板紙を巻いて構成した直立式の円柱体であり、製造工程を簡素化し、構造強度を高めることができ、脚枠および上下板材を確実に粘接することができる。上下板材は複数の中実板紙を積層して構成され、高い構造強度を有する。
【考案を実施するための最良の形態】
【００１２】
本考案の目的、特徴および効果を示す実施例を図に沿って詳細に説明する。
【００１３】
図１、２に示すように、本考案のパレットは、矩形上板１０と、上板１０に対応する下板２０と、両側部および中間部に間隔をあけて設けられる円柱形の支脚３０と、が組合わされて構成される。上板１０は長方形または正方形が好ましく、貨物を積載することができる。下板２０は両側部および中間部に分割した板片２１を設置した構造にすることができ、それ以外に、下板２０は一枚の矩形板を設置した構造にすることができる。
【００１４】
図１、２に示す実施例において、上板１０および下板２０は多層の板紙、ダンボール板またはプラスチック板を採用するのが好ましく、両側部および中間部に間隔をあけて複数の支脚３０が上板１０と下板２０との間に粘接される。本考案の主な特徴は図１から図５に示す円柱形の支脚３０の構造にあり、殆どの支脚３０または各支脚３０は、中空の円筒形で、内部空間３５および上下端を連通した開口を有する脚枠３１と、板紙３７を巻いて構成され、脚枠３１の内部空間３５の中段位置に粘着固定される直立式の円柱状の脚柱３２と、脚枠３１の内部空間３５上端の開口内に粘着固定され、上下表面が上板１０底面および脚柱３２上端にそれぞれ粘着固定される円形の上板材３３と、脚枠３１の内部空間３５下端の開口内に粘着固定され、上下表面が脚柱３２底端および下板２０上面にそれぞれ粘着固定される円形の下板材と、を備える。
【００１５】
本実施例の円柱形の支脚３０は脚枠３１の内部空間３５内で脚柱３２および上下板材３３、３４と緊密に粘接されるので、構造強度を高めて耐久性を高めることができる。上下板材３３、３４はその平坦な表面が上板１０および下板２０の対応する面と緊密に粘接されるので、脱落するのを防止することができる。また、図１、２に示すパレットの構造において、上板１０および下板２０には複数の支脚３０方向にワッシャ４１が設けられたねじ４０を螺入することができ、脚柱３２および上下板材３３を螺接して構造強度を大幅に高めることができる（図３、４を参照）。
【００１６】
図３から図７に示す実施例において、円柱形の支脚３０の円筒形の脚枠３１は中実管３６を備える紙管が採用され、それによって加工および組立時間を節約でき、構造強度を高めることができる。脚柱３２は板紙３７を巻いて構成した直立式の円柱体であり、製造工程を簡素化し、構造強度を高めることができ、脚枠３１および上下板材３３、３４と確実に粘接することができる。上下板材３３、３４は複数の中実板紙を積層して粘着して構成され、高い構造強度を有する。
【００１７】
本考案は、上板および下板との組合せを強化できる円柱形の支脚を採用することによって、上板および下板を確実に接合し、構造強度を大幅に高めて耐久性を高め、支脚が脱落することがないパレットの組合せ構造を提供するものであり、産業上の利用価値を有する考案である。
【００１８】
上述の実施例は本考案を説明するためのものであり、本考案を制限するものではなく、当該技術に熟知する者による本考案の主旨を逸脱しない範囲における変更および修飾は全て実用新案登録請求の範囲に含まれる。
【図面の簡単な説明】
【００１９】
【図１】本考案の一実施例を示す斜視図である。
【図２】図１の底面を示す斜視図である。
【図３】図１の支脚を示す斜視図である。
【図４】図３の支脚を示す断面図である。
【図５】図３の支脚および上板材を示す分解図である。
【図６】図５の脚柱および上下板材を示す斜視図である。
【図７】図５の脚柱を示す斜視図である。
【符号の説明】
【００２０】
１０  上板
２０  下板
２１  板片
３０  支脚
３１  脚枠
３２  脚柱
３３  上板材
３４  下板材
３５  内部空間
３６  中実管
３７  板紙
４０  ねじ
４１  ワッシャ
【図１】
0003144582.tif 000003
【図２】
0003144582.tif 000004
【図３】
0003144582.tif 000005
【図４】
0003144582.tif 000006
【図５】
0003144582.tif 000007
【図６】
0003144582.tif 000008
【図７】
0003144582.tif 000009